(57)【要約】【課題】簡便に撮影パラメータの指定を行うことが可能な医用情報装置及び、医用情報システムを提供する。【解決手段】医用画像に関連付けられた当該医用画像の撮影時の撮影パラメータと、撮影パラメータに関連付けられた検索情報及び医用画像評価情報とを記憶する記憶手段と、検索条件に応じて、検索条件と検索情報の少なくとも一部が一致する撮影パラメータを抽出し、抽出した撮影パラメータに関連付けられた医用画像評価情報に基づいて撮影パラメータリストを生成するリスト生成手段と、撮影パラメータリストを出力するリスト出力手段とを有することを特徴とする。【選択図】  図５
2011110289.tif 000002
【特許請求の範囲】
【請求項１】
医用画像に関連付けられた当該医用画像の撮影時の撮影パラメータと、撮影パラメータに関連付けられた検索情報及び医用画像評価情報とを記憶する記憶手段と、
検索条件に応じて、検索条件と検索情報の少なくとも一部が一致する撮影パラメータを抽出し、抽出した撮影パラメータに関連付けられた医用画像評価情報に基づいて撮影パラメータリストを生成するリスト生成手段と、
撮影パラメータリストを出力するリスト出力手段と
を有することを特徴とする医用情報装置。
【請求項２】
前記リスト生成手段は、医用画像評価情報に含まれる、医用画像から疾患が発見されたか否かを示す疾患発見情報に基づいて撮影パラメータリストを生成すること
を特徴とする請求項１に記載の医用情報装置。
【請求項３】
前記リスト生成手段は、医用画像評価情報に含まれる、医用画像が診断に適さないことを示す不適情報に基づいて撮影パラメータリストを生成すること
を特徴とする請求項１または２に記載の医用情報装置。
【請求項４】
前記医用情報装置は、撮影パラメータリストに基づいて選択された撮影パラメータを出力する出力手段とを更に有し、
前記出力手段は、選択された撮影パラメータに関連付けられた医用画像評価情報が不適情報を含む場合に、不適情報を含むことを示す警告を出力する
ことを特徴とする請求項３に記載の医用情報装置。
【請求項５】
前記リスト生成手段は、抽出した撮影パラメータを医用画像評価情報に基づいて並べ替えることで撮影パラメータリストを生成する
ことを特徴とする請求項１乃至４に記載の医用情報装置。
【請求項６】
前記医用情報装置は、撮影パラメータリストに基づいて選択された撮影パラメータを出力する出力手段と
を更に有することを特徴とする請求項１乃至５に記載の医用情報装置。
【請求項７】
医用画像に関連付けられた当該医用画像の撮影時の撮影パラメータと、撮影パラメータに関連付けられた検索情報及び医用画像評価情報とを記憶する記憶手段と、
検索条件を指定する検索条件指定手段と、
検索条件に応じて、検索条件と検索情報の少なくとも一部が一致する撮影パラメータを抽出し、抽出した撮影パラメータに関連付けられた医用画像評価情報に基づいて撮影パラメータリストを生成するリスト生成手段と、
撮影パラメータリストに基づいて撮影パラメータを選択する選択手段と、
前記選択手段によって選択された撮影パラメータに基づいて患者を撮影し、医用画像を生成する撮影手段と
を有することを特徴とする医用情報システム。
【発明の詳細な説明】
【技術分野】
【０００１】
本発明は、医用画像撮影時のパラメータを指定可能な医用情報装置及び、医用情報システムに関する。
【背景技術】
【０００２】
医用情報システムは、ＣＴ（Ｃｏｍｐｕｔｅｄ  Ｔｏｍｏｇｒａｐｈｙ）スキャン装置やＭＲＩ（Ｍａｇｎｅｔｉｃ  Ｒｅｓｏｎａｎｃｅ  Ｉｍａｇｉｎｇ）装置等の撮影機器が撮影した医用画像を保持・管理するシステムである。医用情報システムを利用する診療施設においては、撮影機器、撮影制御端末、読影端末、医用画像保持サーバなどの種々の端末がネットワークで接続される。撮影機器が撮影した医用画像を医用画像保持サーバで保持することにより、ネットワーク接続された診療施設の各端末が保持された医用画像を閲覧することができ、医用画像を用いた診断をより効率よく行うことができる。
【０００３】
一方、撮影機器による撮影によって診断に適した医用画像を得るためには、医用画像に所望の部位や疾患を表示させる為の撮影パラメータや画像表示パラメータといったパラメータ群を正しく指定する必要がある。診断に適したパラメータはその診断の種類や表示させたい疾患の種類によってそれぞれ異なるため、診断の度に正しいパラメータ群を逐一設定しなければならず、利便性を損なっていた。そこで、医用画像と撮影パラメータとを関連付けてデータベースに保存し、医用画像を指定することで関連付けられた撮影パラメータを指定することが可能な医用情報システムが開示されている（例えば、特許文献１を参照）。
【先行技術文献】
【特許文献】
【０００４】
【特許文献１】特開２００３−５２６６０号公報
【発明の概要】
【発明が解決しようとする課題】
【０００５】
先述したような医用情報システムを用いて撮影機器の撮影パラメータ指定を行う際には、撮影機器の使用者は所望の撮影パラメータを持つ医用画像を選択し、この選択を以って撮影パラメータの指定を行う。しかし、データベースに保存される医用画像の数が増加すると、使用者は多数の医用画像の中から所望の１つを選ばなければならず、使用者の操作負担を増大させていた。また、データベース中には、撮影パラメータの指定を誤ったために所望の診断が行えなかったような医用画像が登録されている事態も考えられる。この場合、使用者はどの医用画像が誤った撮影パラメータと関連付けられているかを逐一認識し、この医用画像の選択を避けなければならず、使用者の利便性を損なっていた。
【０００６】
そこで本発明においては、より簡便に撮影パラメータの指定を行うことが可能な医用情報装置及び、医用情報システムを提供することを目的とする。
【課題を解決するための手段】
【０００７】
上記課題を解決するため、本発明における医用情報装置は、医用画像に関連付けられた当該医用画像の撮影時の撮影パラメータと、撮影パラメータに関連付けられた検索情報及び医用画像評価情報とを記憶する記憶手段と、検索条件に応じて、検索条件と検索情報の少なくとも一部が一致する撮影パラメータを抽出し、抽出した撮影パラメータに関連付けられた医用画像評価情報に基づいて撮影パラメータリストを生成するリスト生成手段と、撮影パラメータリストを出力するリスト出力手段とを有することを特徴とする。
【０００８】
また、上記課題を解決するため、本発明における医用情報システムは、医用画像に関連付けられた当該医用画像の撮影時の撮影パラメータと、撮影パラメータに関連付けられた検索情報及び医用画像評価情報とを記憶する記憶手段と、検索条件を指定する検索条件指定手段と、検索条件に応じて、検索条件と検索情報の少なくとも一部が一致する撮影パラメータを抽出し、抽出した撮影パラメータに関連付けられた医用画像評価情報に基づいて撮影パラメータリストを生成するリスト生成手段と、撮影パラメータリストに基づいて撮影パラメータを選択する選択手段と、前記選択手段によって選択された撮影パラメータに基づいて患者を撮影し、医用画像を生成する撮影手段とを有することを特徴とする。
【発明の効果】
【０００９】
本発明によれば、より簡便に撮影パラメータの指定を行うことが可能な医用情報装置及び、医用情報システムが提供できる。
【図面の簡単な説明】
【００１０】
【図１】本発明の実施形態に係る医用情報システムのネットワーク構成を示す図。
【図２】本発明の実施形態に係る撮影処理の流れを示すシーケンス図。
【図３】本発明の実施形態に係る評価情報データベースの構成を示す図。
【図４】本発明の実施形態に係るＰＡＳ検索指示信号を出力する際の撮影制御端末における画面表示例を示す図。
【図５】本発明の実施形態に係るＰＡＳリストを選択した際の撮影制御端末における画面表示例を示す図。
【図６】本発明の実施形態に係るＰＡＳの詳細表示を行う際の撮影制御端末における画面表示例を示す図。
【図７】本発明の実施形態に係るＰＡＳ編集を行う際の撮影制御端末における画面表示例を示す図。
【図８】本発明の実施形態に係る警告表示を行う際の撮影制御端末における画面表示例を示す図。
【図９】本発明の実施形態に係る撮影画像に対する評価入力を行う際の読影端末における画面表示例を示す図。
【図１０】本発明の実施形態に係るＰＡＳリスト出力処理の流れを示すフローチャート。
【発明を実施するための形態】
【００１１】
以下、本発明の実施の形態について、図面を参照して説明する。
【００１２】
（医用情報システムのネットワーク構成）
図１は、本発明に係る医用情報システム１０の内部構成を示したブロック図である。本発明における医用情報システム１０は、図１に示すように診断用端末１、ＲＩＳ（放射線科情報システム：Ｒａｄｉｏｌｏｇｙ  Ｉｎｆｏｒｍａｔｉｏｎ  Ｓｙｓｔｅｍ）／ＨＩＳ（病院情報システム：Ｈｏｓｐｉｔａｌ  Ｉｎｆｏｒｍａｔｉｏｎ  Ｓｙｓｔｅｍ）サーバ２、撮影装置３、撮影制御端末４、ＰＡＣＳ（画像保存通信システム：Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）サーバ５、及び読影端末６などの医用情報装置から構成される。医用情報システム１０を構成する各医用情報装置は公知の通信技術を用いて互いに情報の送受信が可能なように構成する。なお、本発明における医用情報装置及び医用情報システム１０の構成はこれに限られるものではなく、各医用情報装置及び撮影装置が複数存在していても構わないし、あるいは各医用情報装置及び撮影装置のうちいずれかを省略し、その省略された医用情報装置及び撮影端末の役割を他の医用情報装置及び撮影端末が担う構成を取っても構わない。
【００１３】
診断用端末１は、例えば患者と医師とが問診を行う際に使用する情報端末である。診断用端末１は、診断用端末１を操作する医師の操作に基づいて、後述するＲＩＳ／ＨＩＳサーバ２中の患者データベース２２から患者情報を読み出して、またＰＡＣＳサーバ５中の画像データベース５１から患者の医用画像を読み出して、診断用端末１に設けられたディスプレイに表示する。ここで、患者情報には例えば患者毎に一意の値が割り振られる患者ＩＤ、患者の氏名、性別、住所、連絡先情報、病名、あるいは医師によって付記された情報などが含まれる。また、医用画像は後述する撮影装置３によって撮影され、画像データベース５１に格納された画像である。医師は診断用端末１に患者情報や医用画像を表示させながら、患者との問診を行う。
【００１４】
また、診断用端末１は、診断用端末１を操作する医師の操作に基づいて、ＲＩＳ／ＨＩＳサーバ２中のオーダ情報データベース２１へオーダ情報を出力する。ここで、オーダ情報には例えば撮影したい患者の部位、撮影時間、撮影場所、ＣＴ装置やＭＲＩ装置といった撮影機器の種別、撮影に用いる造影剤の有無、あるいは医師によって付記された情報などが含まれる。医師は診断用端末１からオーダ情報を出力することにより、医用情報システム１０中に接続された他の情報端末とオーダ情報を共有する。これにより、後述する撮影制御端末４を使用する検査技師は共有したオーダ情報に基づいて患者の撮影を行う。
【００１５】
また、診断用端末１は、診断用端末１を操作する医師の操作に基づいて、ＰＡＣＳサーバ５中の画像データベース５１へ所見情報を出力する。ここで、所見情報は、診断用端末１が表示した医用画像に関連付けられて画像データベース５１に格納される情報である。診断用端末１が出力する所見情報には、例えば医用画像について疾患を発見したか否か、疾患の状態、疾患の位置、あるいは疾患に対する今後の処置などの情報が含まれる。
【００１６】
また、診断用端末１は、診断用端末１を操作する医師の操作に基づいて、ＰＡＣＳサーバ５中の評価情報データベース５３へ評価情報を出力する。ここで、評価情報は、診断用端末１が表示した医用画像の撮影パラメータに関連付けられて、評価情報データベース５３に格納される情報である。診断用端末１が出力する評価情報には、医用画像から疾患を発見したか否か、医師が医用画像を良いと判断したか否か、医師が医用画像に再撮影の必要があると判断したか否か、あるいは医師によって付記されたコメントなどが含まれる。
【００１７】
ＲＩＳ／ＨＩＳサーバ２は、先述したオーダ情報及び患者情報を格納するデータベースサーバである。ＲＩＳ／ＨＩＳサーバ２中には、オーダ情報を格納するオーダ情報データベース２１と、患者情報を格納する患者情報データベース２２が含まれる。ＲＩＳ／ＨＩＳサーバ２は、医用情報システム１０に接続された他の情報端末から出力された情報要求に応じてオーダ情報データベース２１あるいは患者データベース２２からオーダ情報あるいは患者情報を読み出し、情報要求を出力した情報端末へと出力する。
【００１８】
撮像装置３は、ＣＴスキャン装置、MRI装置、Ｘ線画像診断装置、超音波画像診断装置、あるいは核医学診断装置といった、患者の診断に用いる医用画像を撮影するための装置である。撮像装置３は、後述する撮影制御端末４から出力された撮影指示信号に基づいて患者の撮影を行い、医用画像をＰＡＣＳサーバ５へと出力する。撮影制御端末４から出力される撮影指示信号には、撮像装置３を駆動するための撮影パラメータのセット（以下、単にＰＡＳ：Ｐｒｏｇｒａｍａｂｌｅ  Ａｎａｔｏｍｉｃａｌ  Ｓｃａｎと記載する）が含まれる。この撮影パラメータは、例えばMRI装置の場合には撮影種類、撮影時間、繰り返し時間（ＴＲ）、スライス数（Ｎｏ．Ｓｌｉｃｅ）、スライス厚（Ｓｌｉｃｅ  Ｔｈｉｃｋ）、励起回数（ＮＡＱ）、位相エンコード方向のマトリクスサイズ（ＰＥ  Ｍａｔｒｉｘ）などのパラメータが含まれる。なお、撮像装置３はここに列挙した装置に限定されるものではなく、ＣＴスキャン装置や超音波診断装置、Ｘ線画像診断装置、核医学診断装置など種々の医用画像の撮影装置に合わせて構成しても構わない。また、撮影パラメータはここに列挙したものに限定されず、撮影装置の種類や撮影方法に合わせて種々に構成されるものである。
【００１９】
撮影制御端末４は、検査技師が撮像装置３を駆動させて患者の撮影を行うための情報端末である。撮影制御端末４は、ＲＩＳ／ＨＩＳサーバ２のオーダ情報データベース２１からオーダ情報を読み出して、撮影制御端末４のディスプレイに表示する。検査技師は表示されたオーダ情報を視認することにより、患者に対してどの様な撮影を行うべきかを認識する。
【００２０】
また、撮影制御端末４は、撮影制御端末４を操作する検査技師の操作に基づいて、ＰＡＳ検索指示信号を後述するＰＡＣＳサーバ５へと出力する。このＰＡＳ検索指示信号は、ＰＡＣＳサーバ５中のＰＡＳデータベース５２に格納されたＰＡＳの中から、ＰＡＳに関連付けられた評価情報のうち、指定した検索条件を満たすＰＡＳを絞り込んで表示させるための信号である。撮影制御端末４はＰＡＳ検索指示信号を出力すると、ＰＡＣＳサーバ５から出力されたＰＡＳリストを受信して表示する。検査技師は表示されたＰＡＳリストに基づいて所望のＰＡＳを選択する。このＰＡＳの選択処理については、後に詳しく述べる。
【００２１】
また、撮影制御端末４は、撮影制御端末４を操作する検査技師の操作に基づいて、撮影装置３へ撮影指示信号を出力する。この撮影指示信号は、検査技師が選択したＰＡＳを含むものであり、撮影制御端末４を指定のＰＡＳで撮影させるための信号である。
【００２２】
また、撮影制御端末４は、撮影装置３が医用画像をＰＡＣＳサーバ５へと出力するのに合わせて、ＰＡＣＳサーバ５へ撮影に用いたＰＡＳに関連付けた評価情報を出力する。撮影制御端末４が出力する評価情報には、例えば撮影に用いたＰＡＳの名称、検査技師の氏名、診断する疾患の名称、撮影日、撮影時刻などが含まれる。なお、このＰＡＳに関連付けた評価情報のＰＡＣＳサーバ５への出力は、撮影制御端末４の代わりに撮影装置３が行うものであっても構わない。
【００２３】
ＰＡＣＳサーバ５は、先述した医用画像、ＰＡＳ、及び評価情報を格納するデータベースサーバである。ＰＡＣＳサーバ５中には、医用画像を格納する画像データベース５１、ＰＡＳを格納するＰＡＳデータベース５２、及び評価情報を格納する評価情報データベース５３が含まれる。ＰＡＣＳサーバ５は、医用画像、撮影日、撮影時刻、ＰＡＳ、評価情報、及びＲＩＳ／ＨＩＳサーバ２に格納されたオーダ情報、患者情報をそれぞれ関連付けて管理する。即ち特定のＰＡＳについて、当該ＰＡＳを用いて撮影された医用画像、評価情報を読み出し、更に当該ＰＡＳを用いて撮影を行った際のオーダ情報、患者情報がどれであるかを特定する処理を行う。なお、医用画像、ＰＡＳ、評価情報、オーダ情報、患者情報をそれぞれ関連付けて管理する動作は、ＰＡＣＳサーバ５の代わりにＲＩＳ／ＨＩＳサーバ２が行うものであっても構わない。ＰＡＣＳサーバ５は、医用情報システム１０に接続された他の情報端末から出力された情報要求に応じて画像データベース５１、ＰＡＳデータベース５２、及び評価情報データベース５３から医用画像、ＰＡＳ、及び評価情報を読み出し、情報要求を出力した情報端末へと出力する。
【００２４】
また、ＰＡＣＳサーバ５は、撮影制御端末４から出力されたＰＡＳ検索指示信号を受けて、ＰＡＳと評価情報に基づいてＰＡＳリストを生成する。ＰＡＣＳサーバ５はＰＡＳリストを生成すると、これを撮影制御端末４へと出力する。このＰＡＳリストの生成処理については、後に詳しく述べる。
【００２５】
また、ＰＡＣＳサーバ５は、診断用端末１、撮影制御端末４、及び後述する読影端末６から出力された評価情報を格納し、評価情報データベース５３を更新する。
【００２６】
読影端末６は、例えば読影医が医用画像を用いた読影を行う際に使用する情報端末である。読影端末６は、ＲＩＳ／ＨＩＳサーバ２のオーダ情報データベース２１からオーダ情報を読み出して、読影端末６のディスプレイに表示する。読影医は表示されたオーダ情報を視認することにより、どの医用画像に対して読影を行うべきかを認識する。
【００２７】
また、読影端末６は、読影端末６を操作する読影医の操作に基づいて、ＰＡＣＳサーバ５中の画像データベース５１から患者の医用画像を読み出して、読影端末６に設けられたディスプレイに表示する。読影医は表示された医用画像とオーダ情報に基づいて、読影を行う。
【００２８】
また、読影端末６は、読影端末６を操作する読影医の操作に基づいて、ＰＡＣＳサーバ５中の画像データベース５１へ所見情報を出力する。ここで、所見情報は、読影端末６が表示した医用画像に関連付けられて画像データベース５１に格納される情報である。読影端末６が出力する所見情報には、例えば医用画像について疾患を発見したか否か、疾患の状態、疾患の位置、あるいは疾患に対する今後の処置などの情報が含まれる。
【００２９】
また、読影端末６は、読影端末６を操作する読影医の操作に基づいて、ＰＡＣＳサーバ５中の評価情報データベース５３へ評価情報を出力する。読影端末６が出力する評価情報には、医用画像から疾患を発見したか否か、読影医が医用画像を良いと判断したか否か、読影医が医用画像に再撮影の必要があると判断したか否か、あるいは読影医によって付記されたコメントなどが含まれる。
【００３０】
（評価情報の構成）
図３は、ＰＡＣＳサーバ５中の評価情報データベース５２に格納される評価情報の構成例を示した図である。評価情報は、ＰＡＣＳサーバ５が後述するＰＡＳリストの生成処理を行う際に用いる情報である。撮影制御端末４が撮影指示信号を撮影装置３に出力して患者の撮影を行った際に、この評価情報の少なくとも一部が撮影制御端末４からＰＡＣＳサーバ５へと出力される。なお、評価情報をＰＡＣＳサーバ５へ出力するタイミングはこれに限られるものではなく、撮影処理終了後にＰＡＣＳサーバ５へ出力するものであっても構わないし、診断用端末１や読影端末６などの他の情報端末が撮影装置３の撮影処理に合わせてＰＡＣＳサーバ５へ評価情報を出力しても構わない。
【００３１】
評価情報は撮影装置３の撮影の度に、ＰＡＳと関連付けられるようにして評価情報データベース５３に格納される。評価情報は具体的には、評価情報の識別番号（図３中に「ＩＤ」として記す）、撮影に用いられたＰＡＳの名称、撮影指示信号を出力した検査技師名、撮影によって診断しようとした症状名、診断用端末１あるいは読影端末６によって入力された医用画像評価、医用画像評価として医用画像に対して付記されたコメント、撮影の行われた日時、そして撮影して得られた医用画像の一部などが含まれる。これらの情報が、ＰＡＳ検索指示に基づいてＰＡＣＳサーバ５がＰＡＳの検索を行う際の検索情報として用いられる。
【００３２】
医用画像評価の情報は、医師あるいは読影医が医用画像から疾患を発見したか否か、医用画像を良いと判断したか否か、あるいは悪いと判断したか否かの情報が記録される。この医用画像評価の情報は、医師の診断用端末１に対する操作あるいは読影医の読影端末６に対する操作に基づいて、診断用端末１あるいは読影端末６がＰＡＣＳサーバ５へ出力する。評価情報データベース５３中には、医用画像から疾患が発見された場合には「○」が、医用画像が良いと判断された場合には「◎」が、医用画像に再撮影の必要があると判断された場合には「×」が、医用画像評価が未入力の場合には「−」がそれぞれ記録される。
【００３３】
なお、評価情報の構成はここに列挙したものに限定されず、撮影を行うためのオーダ情報を指示した医師名や医用画像評価の情報を出力した読影医名、オーダ情報、患者情報などの種々の情報を含んで構成されても構わない。また、ここに列挙した情報の内の幾つかを省略して構成しても構わない。
【００３４】
（ＰＡＳを用いた撮影処理の流れ）
図２は、医用情報システム１０を用いて撮影装置３に適用するＰＡＳを選択し、撮影を行う処理の流れを示したシーケンス図である。また、図４、図５、図６、図７は撮影処理の流れに応じて撮影制御端末４のディスプレイに表示される画面表示例である。図８は撮影処理の流れに応じて診断用端末１あるいは読影端末６のディスプレイに表示される画面表示例である。以下に、画面表示例を参照しながら撮影処理について述べる。
【００３５】
まず、診断用端末１を操作する医師が患者との問診などに基づいて、オーダ情報をＲＩＳ／ＨＩＳサーバ２へ出力する（ステップ１０１）。このオーダ情報には、患者をどの種類の撮影装置３で撮影するか、どの部位を撮影するかなどの情報が含まれる。
【００３６】
ＲＩＳ／ＨＩＳサーバ２は診断用端末１から出力されたオーダ情報を受信すると、このオーダ情報を撮影制御端末４へと転送する（ステップ１０２）。
【００３７】
撮影制御端末４はＲＩＳ／ＨＩＳサーバ２から出力されたオーダ情報を受信すると、このオーダ情報をディスプレイなどに表示し、検査技師による撮影制御端末４の操作を待つ。検査技師はディスプレイに表示されたオーダ情報を認識すると、オーダ情報が指定する撮影装置３に対してＰＡＳ検索指示信号を出力する（ステップ１０３）。図４に、ＰＡＳ検索指示信号を出力する際に撮影制御端末４のディスプレイに表示される画面表示例を示す。撮影制御端末４は、検索ワード入力ボックス３００中に検査技師によって入力された検索条件に基づいて、ＰＡＳ検索指示信号を生成する。なお、ここで検査技師が行うと記載した種々の操作は、撮影制御端末４が自動的に行うものであっても構わない。
【００３８】
ＰＡＣＳサーバ５は撮影制御端末４から出力されたＰＡＳ検索指示信号を受信すると、ＰＡＳデータベース５２からＰＡＳを読み出して、更に評価情報データベース５３からＰＡＳに関連付けられた評価情報を読み出す。そして、ＰＡＳ検索指示信号が指定する検索条件を有する評価情報があるか否かを判断する。より具体的には、例えばＰＡＳ検索指示信号が、「検査技師Ａが使用した」ＰＡＳを検索条件として指定した場合、ＰＡＣＳサーバ５は、評価情報データベース５３から読み出した評価情報を検索情報として用いて、検索情報中に「検査技師Ａが使用した」という条件に合致する評価情報を抽出する。そして、ＰＡＣＳサーバ５は抽出した評価情報と関連付けられたＰＡＳがどれであるかをＰＡＳデータベース５２から読み出して判断する。ＰＡＳ検索指示信号が指定する検索条件に合致するＰＡＳがＰＡＳデータベース５２中にあるか否かを判断する（ステップ１０４）。ＰＡＣＳサーバ５が検索条件に合致するＰＡＳが存在しないと判断すると（ステップ１０４のＮｏ）、ＰＡＣＳサーバ５は撮影制御端末４のディスプレイに、検索条件に合致するＰＡＳが存在しないことを示す警告を表示させる（ステップ１０５）。一方、ＰＡＣＳサーバ５が検索条件に合致するＰＡＳが存在すると判断すると（ステップ１０４のＹｅｓ）、合致するＰＡＳの評価情報を読み出す。そして、ＰＡＣＳサーバ５はＰＡＳに関連付けられた評価情報に基づいてＰＡＳを並べ替えたＰＡＳリストを生成する。評価情報を用いたＰＡＳリストの生成処理については後に詳しく述べる。
【００３９】
ＰＡＣＳサーバ５がＰＡＳリストを生成すると、ＰＡＣＳサーバ５はＰＡＳリストを撮影制御端末１０５へと出力する（ステップ１０６）。撮影制御端末４はＰＡＣＳサーバ５から出力されたＰＡＳリストを受信すると、これをディスプレイに表示して、検査技師によってＰＡＳリスト中からＰＡＳが選択されるのを待つ。図５に、撮影制御端末４のディスプレイにＰＡＳリストを表示する例を示す。検索ワード入力ボックス３００中に入力した検索条件に合致するＰＡＳがＰＡＳリスト表示ボックス３０１中にリストとして表示される。ＰＡＳリスト表示ボックス３０１中に表示されるＰＡＳリストは、例えばＰＡＳの名称、ＰＡＳに関連付けられた医用画像の一部、そして評価情報に基づいて生成されたＰＡＳの評価順位が表示される。ＰＡＳの評価順位は、例えば医用画像評価の情報に基づいて行われる。例えば、「×」が少ないＰＡＳを上位に、「×」が多いＰＡＳを下位に配置する。「×」の数が同数であったＰＡＳについては、「×」の数が同数のＰＡＳ内で「◎」が多いＰＡＳを上位に、「◎」が少ないＰＡＳを下位に配置する。「×」「◎」の数が同数であったＰＡＳについては、「○」が多いＰＡＳを上位に、「○」が少ないＰＡＳを下位に表示する。この並べ替えにより、ＰＡＣＳサーバ５は医師あるいは読影医から悪いと判断された医用画像を撮影した際のＰＡＳを、下位に表示する。一方良いと判断された医用画像を撮影した際のＰＡＳを、上位に表示する。また、医用画像から疾患を発見できた際のＰＡＳを上位に表示する。これにより検査技師は、医師あるいは読影医から良いと判断されたか医用画像から疾患を発見できた際のＰＡＳを優先的に選択することができる。また、医師あるいは読影医から医用画像に再撮影の必要があると判断された際のＰＡＳを選択してしまう事態を避けることができる。なお、ＰＡＳリストの順位生成はここに述べた方法に限定されない。例えば、まず「◎」が多いＰＡＳを上位に配置した後に「○」「×」の数に基づいてＰＡＳの並べ替えを行っても構わないし、ＰＡＳを用いて撮影が行われた回数などの、他の評価情報を組み合わせてＰＡＳの並べ替えを行っても構わない。
【００４０】
検査技師が撮影制御端末４を操作してＰＡＳリスト表示ボックス３０１中のＰＡＳの１つを選択すると、撮影制御端末４は選択したＰＡＳの撮影パラメータを撮影パラメータ表示ボックス３０２に表示する。例えばＰＡＳがMRI装置の撮影パラメータを指定するものであった場合には、撮影パラメータ表示ボックス３０２にはスキャンシーケンスとして撮影の順番、撮影の種類、及び撮影の時間などが表示される。また、撮影制御端末４は撮影パラメータ表示ボックス３０２と共に評価情報表示ボックス３０３を表示させ、選択したＰＡＳの評価情報を表示する。例えば評価情報表示ボックス３０３には、医師あるいは読影医が入力した医用画像評価の合計や、ＰＡＳが使用された累積回数などが表示される。評価情報表示ボックス３０３を表示することにより、検査技師は選択したＰＡＳに対してどの様な評価が行われていたのかを視認することができる。また、撮影制御端末４は撮影パラメータ表示ボックス３０２と共にＰＡＳ詳細表示ボタン３０４、ＰＡＳ編集ボタン３０５、ＰＡＳ適用ボタン３０６を表示する。
【００４１】
検査技師が撮影制御端末４を操作してＰＡＳ詳細表示ボタン３０４を選択すると、撮影制御端末４はＰＡＣＳサーバ５及びＲＩＳ／ＨＩＳサーバ２にアクセスして、選択したＰＡＳを用いて撮影を行った際のオーダ情報、患者情報などを読み出す。撮影制御端末４はオーダ情報、患者情報を読み出すと、これらの情報を並べて表示する。図６に、撮影制御端末４のディスプレイにＰＡＳ詳細を表示する例を示す。撮影制御端末４はＰＡＳ詳細表示ボックス３０７中に、ＰＡＳの評価情報、ＰＡＳを用いて撮影を行った際のオーダ情報、患者情報などを並べて表示する。なお、ＰＡＳ詳細表示ボックス３０７中に表示した情報のうち、検索ワード入力ボックス３００に入力した検索条件に該当するものがあった場合には、検索条件に該当する情報を強調表示するようにしても良い。これにより、検査技師はどの情報が入力した検索条件に該当しているのかを容易に認識することができる。
【００４２】
検査技師が撮影制御端末４を操作してＰＡＳ編集ボタン３０５を選択すると、撮影制御端末４はＰＡＣＳサーバ５にアクセスして、選択したＰＡＳを構成する撮影パラメータを読み出し、これらを編集する画面を表示する。図７に、撮影制御端末４のディスプレイにＰＡＳを編集する際の画面を表示する例を示す。撮影制御端末４はＰＡＳ編集ボックス３０８中に、ＰＡＳを構成する撮影パラメータ及び撮影パラメータを変更するための操作ボタンなどを表示する。なお、撮影パラメータを変更するボタンはここに示すものに限定されず、直接キーボードなどを用いて撮影パラメータを数値指定するなどの、種々の方法を用いて撮影パラメータを設定しても構わない。検査技師は撮影制御端末４を操作して選択したＰＡＳの撮影パラメータを変更する。これにより、検査技師が選択したＰＡＳのパラメータの一部を変更したい場合に、ＰＡＳ編集ボックス３０８中に表示された情報を用いて撮影パラメータを変更することができる。なお、検査技師が撮影制御端末４を操作して撮影のパラメータを変更した場合には、後の撮影に用いられる撮影パラメータは予め登録されているＰＡＳの撮影パラメータと異なることとなる。このとき、ＰＡＣＳサーバ５は値の変更された撮影パラメータを新たなＰＡＳとしてＰＡＳデータベース５２に登録する。
【００４３】
検査技師が撮影制御端末４を操作してＰＡＳ適用ボタン３０６を選択すると、撮影制御端末４は選択されたＰＡＳをＰＡＣＳサーバ５へと通知する（ステップ１０７）。ＰＡＣＳサーバ５は撮影制御端末４から出力されたＰＡＳを受信すると、このＰＡＳに関連付けられた評価情報を読み出し、医用画像評価の情報に「×」が入力されていないかを判断する（ステップ１０８）。ＰＡＣＳサーバ５は医用画像評価の情報に「×」が入力されていると判断すると（ステップ１０８のＹｅｓ）、撮影制御端末４に医用画像評価の情報に「×」が入力されていることを示す警告信号を出力する。なお、ＰＡＣＳサーバ５による警告信号の出力は、「×」の数が予め決められた規定の個数以上が入力されている場合に行っても構わないし、「×」の数が選択したＰＡＳの使用回数に対して予め決められた規定の割合以上入力されている場合に行っても構わない。
【００４４】
撮影制御端末４がＰＡＣＳサーバ５から出力された警告信号を受信すると、撮影制御端末４はディスプレイに警告を表示する。図８に、撮影制御端末４のディスプレイに警告を表示する例を示す。警告表示ボックス３０９中に、選択したＰＡＳに関連付けられた評価情報に「×」が入力されていることが表示される。これにより、検査技師は選択したＰＡＳは再撮影の必要があると判断されたＰＡＳであることを容易に認識することができ、必要に応じて別のＰＡＳを選択するなどの措置を講じることができる。なお、警告表示ボックス３０９中には、「×」が入力された回数を表示させても構わないし、ＰＡＳを再選択するか、あるいは「×」が入力された回数に係らず選択したＰＡＳの適用を続行するかを選択する選択ボタンを表示しても構わない。
【００４５】
ＰＡＣＳサーバ５が警告信号を出力しなかった場合には（ステップ１０８のＮｏ）、撮影制御端末４は選択したＰＡＳを撮影装置３へ出力する（ステップ１１０）。撮影装置３は撮影制御端末４から出力されたＰＡＳを受信すると、受信したＰＡＳに基づいて撮影を行う。撮影装置３は撮影によって医用画像を生成すると、生成した医用画像をＰＡＣＳサーバ５へ出力する（ステップ１１１）。なお、撮影装置３による撮影に合わせて撮影制御端末４がＰＡＣＳサーバ５へ選択したＰＡＳ及び選択したＰＡＳに関連付けられた評価情報をＰＡＣＳサーバ５へ出力するようにしてもよい。あるいは、選択したＰＡＳ及び選択したＰＡＳに関連付けられた評価情報を撮影装置３がＰＡＣＳサーバ５へ出力するようにしてもよい。出力されたＰＡＳ及び評価情報は、評価情報データベース５２へ格納される。
【００４６】
ＰＡＣＳサーバ５は撮影装置３から出力された医用画像を受信すると、これを読影端末６へと出力する。読影端末６はＰＡＣＳサーバ５から出力された医用画像を受信すると、これを読影端末６のディスプレイに表示する。読影医は読影端末６に表示された医用画像を視認して、読影端末６を操作して所見情報、評価情報を入力する。図９に、読影端末１０のディスプレイに医用画像を表示する例を示す。医用画像表示ボックス４００にＰＡＣＳサーバ５から出力された医用画像が表示される。読影医は医用画像表示ボックス４００に表示された医用画像を用いて読影を行う。読影医は読影を行うと、読影端末６を操作して所見入力ボックス４０１に医用画像に対する所見を入力する。また、読影医は読影を行うと、読影端末６を操作して医用画像評価ボックス４０２に医用画像評価を入力し、医用画像コメント入力ボックス４０３に医用画像に対するコメントを入力する。読影医が読影端末６を操作して送信ボタン４０４を選択すると、読影端末６は所見入力ボックス４０１に入力された所見情報、医用画像評価ボックス４０２に入力された医用画像評価、医用画像コメント入力ボックス４０３に入力された医用画像に対するコメントを、ＰＡＣＳサーバ５へ出力する（ステップ１１３）。ＰＡＣＳサーバ５は読影端末６から出力された所見情報、医用画像評価、医用画像に対するコメントを受信すると、所見情報を医用画像と対応付けて画像データベース５１に格納し、医用画像評価、医用画像に対するコメントを撮影時のＰＡＳ、撮影して得られた医用画像と対応付けて評価情報データベース５３に格納する。
【００４７】
ＰＡＣＳサーバ５は読影端末６から出力された所見情報を受信すると、診断用端末１に受信した所見情報及び所見情報に対応付けられた医用画像を出力する（ステップ１１４）。診断用端末１は所見情報及び医用画像を受信すると、これを診断用端末１のディスプレイに表示する。医師は診断用端末１に表示された医用画像及び所見情報を視認して、患者の診断を行う。また、医師は診断用端末１を操作して、医用画像に対する所見情報及び評価情報を入力する。この所見情報及び評価情報の入力は、例えば図９を用いて先述した方法により行うことができる。診断用端末１は医師の操作に基づいて、所見情報、医用画像評価、医用画像に対するコメントを、ＰＡＣＳサーバ５へ出力する（ステップ１１５）。ＰＡＣＳサーバ５は診断用端末６から出力された所見情報、医用画像評価、医用画像に対するコメントを受信すると、所見情報を医用画像と対応付けて画像データベース５１に格納し、医用画像評価、医用画像に対するコメントを撮影時のＰＡＳ、撮影して得られた医用画像と対応付けて評価情報データベース５３に格納する。
【００４８】
以上の処理により、検査技師は検索条件を指定して表示するＰＡＳを絞込み、更にＰＡＳをリスト化して表示させる。そして、検査技師はＰＡＳリストに表示されたＰＡＳを選択することで、撮影機器３の撮影パラメータを指定する。ＰＡＣＳサーバ５は検索条件に基づいて合致するＰＡＳを抽出し、抽出したＰＡＳを評価情報に基づいて並べ替えてリスト化する。評価情報は、撮影制御端末４が撮影指示信号を出力した際に、撮影制御端末４からＰＡＣＳサーバ５へ出力される。また、評価情報は、医用画像を表示した診断用端末１及び読影端末６へ評価情報の入力がなされた場合に、診断用端末１及び読影端末６から
ＰＡＣＳサーバ５へ出力される。従って、検査技師は撮影機器３、診断用端末１、及び読影端末６から出力された評価情報に基づいてＰＡＳを抽出し、選択することができる。また、リスト化されたＰＡＳから選択することで、医用画像の撮影に適したＰＡＳを優先的に選択することができる。
【００４９】
（ＰＡＳリストの生成処理）
図１０は、ＰＡＣＳサーバ５がＰＡＳリストを生成する際の処理の流れについて述べたフローチャートである。以下に、図３を参照しながらＰＡＳリストの生成処理について述べる。
【００５０】
まず、ＰＡＣＳサーバ５が処理を開始すると（ステップ２００）、ＰＡＣＳサーバ５は撮影制御端末４から出力されるＰＡＳ検索指示を受け付ける（ステップ２０１）。ＰＡＣＳサーバ５が撮影制御端末４から出力されたＰＡＳ検索指示を受信すると、ＰＡＣＳサーバ５はＰＡＳデータベース５２からＰＡＳを読み出し、更に評価情報データベース５３からＰＡＳに関連付けられた評価情報を読み出し、ＰＡＳ検索指示が指定する検索条件に合致するＰＡＳがＰＡＳデータベース５２に存在するか否かを判断する（ステップ２０２）。ＰＡＣＳサーバ５が検索条件に合致するＰＡＳが存在しないと判断すると（ステップ２０２のＮｏ）、ＰＡＣＳサーバ５は撮影制御端末４に検索条件に合致するＰＡＳが存在しない旨を表示する警告信号を送信する（ステップ２０３）。ＰＡＣＳサーバ５が警告信号を撮影制御端末４に送信すると、ＰＡＣＳサーバ５は、検査技師がＰＡＳを用いずに撮影パラメータを逐一設定するか否かを問い合わせる問い合わせ信号を撮影制御端末４へ出力して、撮影制御端末４からの応答を待つ（ステップ２０４）。ＰＡＣＳサーバ５が、撮影パラメータの逐一設定を行わない旨を示す通知信号を撮影制御端末４から受信すると、ＰＡＣＳサーバ５は再び撮影制御端末４から出力されるＰＡＳ検索指示を受け付ける（ステップ２０１）。ＰＡＣＳサーバ５が、撮影パラメータの逐一設定を行う旨を示す通知信号を撮影制御端末４から受信すると、ＰＡＣＳサーバ５は撮影制御端末４から出力される撮影パラメータを待ち受ける（ステップ２０５）。ＰＡＣＳサーバ５は撮影制御端末４から出力された撮影パラメータを受信すると、受信した撮影パラメータを新たなＰＡＳとしてＰＡＳデータベース５２へ登録する。ＰＡＣＳサーバ５は撮影制御端末４へＰＡＳを出力して（ステップ２１３）、処理を終了する（ステップ２１４）。撮影制御端末４は撮影装置３へこの新たに登録したＰＡＳを出力して、撮影装置３による撮影を行う。
【００５１】
一方、ＰＡＣＳサーバ５が検索条件に合致するＰＡＳが存在すると判断すると（ステップ２０２のＹｅｓ）、ＰＡＣＳサーバ５は、ＰＡＳデータベース５２から検索条件に合致するＰＡＳを読み出す（ステップ２０６）。そして、ＰＡＣＳサーバ５は、読み出したＰＡＳに関連付けられた評価情報を読み出し、この評価情報に基づいてＰＡＳリストの生成を行う（ステップ２０７）。ＰＡＳリストの生成は具体的には、先述した医用画像評価の情報に含まれる「◎」「○」「×」の個数などに基づいて行うことができる。ＰＡＣＳサーバ５はＰＡＳリストの生成を行うと、生成したＰＡＳリストを撮影制御端末４へと出力して（ステップ２０８）、撮影制御端末４によって出力されるＰＡＳの選択信号を受け付ける（ステップ２０９）。ＰＡＣＳサーバ５が撮影制御端末４から出力されたＰＡＳの選択信号を受信すると、ＰＡＣＳサーバ５は選択信号が示すＰＡＳに関連付けられた評価情報を読み出し、医用画像評価の情報に「×」が含まれていないかを判断する（ステップ２１０）。
【００５２】
ＰＡＣＳサーバ５は選択されたＰＡＳの医用画像評価の情報に「×」が含まれないと判断すると（ステップ２１０のＮｏ）、ＰＡＣＳサーバ５は撮影制御端末４へＰＡＳを出力して（ステップ２１３）、処理を終了する（ステップ２１４）。撮影制御端末４は撮影装置３へこの新たに登録したＰＡＳを出力して、撮影装置３による撮影を行う。
【００５３】
一方、ＰＡＣＳサーバ５は選択されたＰＡＳの医用画像評価の情報に「×」が含まれると判断すると（ステップ２１０のＹｅｓ）、ＰＡＣＳサーバ５は選択されたＰＡＳが再撮影を行う必要のあったＰＡＳであることを示す警告信号を撮影制御端末４へ出力し、撮影制御端末４に警告信号を表示させる（ステップ２１１）。ＰＡＣＳサーバ５は撮影制御端末４に警告信号を表示させると、撮影制御端末４によって出力される警告対応信号を受け付ける。ＰＡＣＳサーバ５が、撮影制御端末４によって出力された警告対応信号は、警告信号の送信されたＰＡＳを適用することを示すと判断した場合には（ステップ２１２のＮｏ）、ＰＡＣＳサーバ５は撮影制御端末４へＰＡＳを出力して（ステップ２１３）、処理を終了する（ステップ２１４）。撮影制御端末４は撮影装置３へこの新たに登録したＰＡＳを出力して、撮影装置３による撮影を行う。ＰＡＣＳサーバ５が、撮影制御端末４によって出力された警告対応信号は、再びＰＡＳを選択しなおすことを示すと判断した場合には（ステップ２１２のＹｅｓ）、ＰＡＣＳサーバ５は再び撮影制御端末４によって出力されるＰＡＳの選択信号を受け付ける（ステップ２０９）。
【００５４】
（本実施形態の効果）
以上の処理により、撮影制御端末４による撮影装置３の撮影パラメータの設定は、ＰＡＣＳサーバ５中のＰＡＳデータベースに格納されたＰＡＳを用いて行われる。従って、撮影制御端末４を操作する検査技師は、撮影装置３を用いて医用画像の生成を行う際に、ＰＡＳを選択することで撮影パラメータを一括して設定することができる。検査技師は撮影パラメータを逐一設定する必要がないため、検査技師による撮影パラメータ設定の操作負荷を軽減することができる。
【００５５】
また、以上の処理により、撮影制御端末４によるＰＡＳの選択は、ＰＡＣＳサーバ５によって生成されたＰＡＳリストから１つを選択することによって行われる。このＰＡＳリストの生成は、検査技師が指定した検索条件に合致したＰＡＳに基づいて行われる。従って、撮影制御端末４を操作する検査技師は、多数存在するＰＡＳから１つを選択する際に、ＰＡＳに関連付けられたオーダ情報や患者情報、あるいは評価情報に基づいて検索条件を指定することにより、所望の検索条件を満たすＰＡＳのみを抽出してリスト表示させることができる。検査技師は所望の検索条件を満たすＰＡＳのみを表示させることができるため、検査技師によるＰＡＳ選択の際の操作負荷を軽減することができる。
【００５６】
また、以上の処理により、ＰＡＣＳサーバ５によるＰＡＳリストの生成は、医用画像評価情報に含まれる「×」に基づいて並べ替えが行われる。医用画像評価情報に含まれる「×」は、同様のＰＡＳを用いて撮影装置３に撮影された医用画像が、医用画像を視認した医師あるいは読影医にとって再撮影の必要を指摘されたことを示す情報である。即ち、医用画像評価情報に「×」を含むＰＡＳは、診断に適さない医用画像を生成し得るＰＡＳであると言うことができる。従って、撮影制御端末４を操作する検査技師は、多数存在するＰＡＳから１つを選択する際に、診断に適さない医用画像を生成し得るＰＡＳの選択を避けることができるため、検査技師によるＰＡＳ選択の際の操作負荷を軽減することができる。
【００５７】
また、以上の処理により、検査技師によって医用画像評価情報に「×」を含むＰＡＳが選択された場合には、ＰＡＣＳサーバ５は「×」を含むＰＡＳが選択されたことを示す警告を撮影制御端末４に表示させる。従って、撮影制御端末４を操作する検査技師が多数存在するＰＡＳから１つを選択する際に、診断に適さない医用画像を生成し得るＰＡＳを選択してしまった場合に、検査技師にこれを通知することが出来るため、診断に適さない医用画像を生成し得るＰＡＳが選択されてしまう事態を防ぐことができる。
【００５８】
また、以上の処理により、ＰＡＣＳサーバ５によるＰＡＳリストの生成は、医用画像評価情報に含まれる「◎」に基づいて並べ替えが行われる。医用画像評価情報に含まれる「◎」は、同様のＰＡＳを用いて撮影装置３に撮影された医用画像が、医用画像を視認した医師あるいは読影医にとって高評価だと指摘されたことを示す情報である。従って、撮影制御端末４を操作する検査技師は、多数存在するＰＡＳから１つを選択する際に、医師あるいは読影医にとって高評価だと指摘された医用画像を生成し得るＰＡＳを優先して選択することができるため、検査技師によるＰＡＳ選択の際の操作負荷を軽減することができる。
【００５９】
また、以上の処理により、ＰＡＣＳサーバ５によるＰＡＳリストの生成は、医用画像評価情報に含まれる「○」に基づいて並べ替えが行われる。医用画像評価情報に含まれる「○」は、同様のＰＡＳを用いて撮影装置３に撮影された医用画像から、医用画像を視認した医師あるいは読影医によって疾患が発見されたことを示す情報である。即ち、医用画像評価情報に「○」を含むＰＡＳは、診断に適した医用画像を生成し得るＰＡＳであると言うことができる。従って、撮影制御端末４を操作する検査技師は、多数存在するＰＡＳから１つを選択する際に、診断に適した医用画像を生成し得るＰＡＳを優先して選択することができるため、検査技師によるＰＡＳ選択の際の操作負荷を軽減することができる。
【００６０】
また、以上の処理により、撮影制御端末４はＰＡＳを選択した後に、ＰＡＳの撮影パラメータを変更することができる。また、ＰＡＣＳサーバ５はＰＡＳの撮影パラメータが変更された際に、撮影パラメータの変更されたＰＡＳを新しいＰＡＳとしてＰＡＳデータベース５２に登録する。これにより、検査技師は選択したＰＡＳが所望の撮影を行いうる撮影パラメータと異なる場合にも、撮影パラメータを自在に変更することができる。更に、撮影パラメータの変更されたＰＡＳを新しいＰＡＳとしてＰＡＳデータベースに登録することにより、撮影パラメータの変更されたＰＡＳを別の撮影を行う際に適宣選択することができる。
【００６１】
本発明の構成はここに述べたものに限定されるものではなく、また、上記実施形態に開示されている複数の構成要素の適宣な組み合わせにより、種々の発明を形成できる。例えば、ＰＡＳを管理する医用情報端末はＰＡＣＳサーバ５に限られるものではなく、例えばＲＩＳ／ＨＩＳサーバ２や撮影制御端末４などの他の医用情報端末がＰＡＳを管理する構成を取っても構わない。あるいは、実施形態に示される全構成要素から幾つかの構成要素を削除してもよい。あるいは、異なる実施例にわたる構成要素を適宣組み合わせてもよい。
【符号の説明】
【００６２】
１    診断用端末
２    ＲＩＳ／ＨＩＳサーバ
３    撮影装置
４    撮影制御端末
５    ＰＡＣＳサーバ
６    読影端末
１０  医用情報システム
２１  オーダ情報データベース
２２  患者データベース
５１  画像データベース
５２  撮影パラメータデータベース
５３  評価情報データベース
【図１】
2011110289.tif 000003
【図２】
2011110289.tif 000004
【図３】
2011110289.tif 000005
【図４】
2011110289.tif 000006
【図５】
2011110289.tif 000007
【図６】
2011110289.tif 000008
【図７】
2011110289.tif 000009
【図８】
2011110289.tif 000010
【図９】
2011110289.tif 000011
【図１０】
2011110289.tif 000012